(57)【要約】      （修正有）【課題】仕様の異なる複数のカメラを使用する場合、個々のカメラに対して設定変更操作を容易にする。【解決手段】設定項目が異なる複数のカメラと、各カメラに共通に着脱可能な記憶媒体と、記憶媒体に保存される設定組み合わせと、設定組み合わせからカメラの設定を読み出す手段と、読み出した設定をカメラに設定できる項目に変換する手段と、変換したカメラ設定を実施する手段と、カメラの設定を設定組み合わせに変換する手段と、設定組み合わせを記憶媒体に保存する手段と、を備える。【選択図】図６
2006174249.tif 000002
【特許請求の範囲】
【請求項１】
記憶媒体を着脱可能な電子制御式カメラで、カメラの動作に関する情報を記憶媒体に保存することが出来また記憶媒体に保存されたカメラの動作に関する情報を読み込むことが出来るような、操作系の異なるカメラ間において、
異なる操作系をもつ他カメラが保存した動作に関する情報を記憶媒体から読み込んで、読み込んだ情報を自カメラに設定できるように変換し、変換した情報に基づいて動作することを特徴とするカメラの動作設定手段。
【請求項２】
画像記憶用メモリを着脱可能な電子制御式カメラで、カメラの動作に関する情報を画像記憶用メモリに保存することが出来また画像記憶用メモリに保存されたカメラの動作に関する情報を読み込むことが出来るような、操作系の異なるカメラ間において、
異なる操作系をもつ他カメラが保存した動作に関する情報を画像記憶用メモリから読み込んで、読み込んだ情報を自カメラに設定できるように変換し、変換した情報に基づいて動作することを特徴とするカメラの動作設定手段。
【請求項３】
請求項２記載のカメラの動作設定手段において、画像記憶用メモリに保存されるカメラの動作に関する情報が、カメラを個人の好みの操作に設定するためのカスタマイズ設定情報であるようなことを特徴とするカメラの動作設定手段。
【請求項４】
請求項２記載のカメラの動作設定手段において、画像記憶用メモリに保存されるカメラの動作に関する情報が画像記憶用メモリに保存する画像データの大きさを指定する設定情報であるようなことを特徴とするカメラの動作設定手段。
【請求項５】
レンズ交換式の電子制御式カメラで、カメラの動作に関する情報を交換レンズ内の記憶装置に保存することが出来また交換レンズ内の記憶装置に保存されたカメラの動作に関する情報を読み込むことが出来るような、操作系の異なるカメラ間において、
異なる操作系をもつ他カメラが保存した動作に関する情報を交換レンズ内の記憶装置から読み込んで、読み込んだ情報を自カメラに設定できるように変換し、変換した情報に基づいて動作することを特徴とするカメラの動作設定手段。
【請求項６】
カメラの動作に関する情報を記憶媒体に保存出来、また記憶媒体に保存されたカメラの動作に関する情報を読み込むことが出来、その記憶媒体を着脱可能な異なる操作系を持つ電子制御式カメラが複数あり、
他カメラが保存した動作に関する情報を記憶媒体から読み込んで、読み込んだ情報を自カメラの設定情報にする変換装置を備え、変換した情報を設定することで他カメラと機能的に類似の動作をするようなことを特徴とするカメラシステム。
【請求項７】
カメラの動作に関する情報を画像記憶用メモリに保存出来、また画像記憶用メモリに保存されたカメラの動作に関する情報を読み込むことが出来、その画像記憶用メモリを着脱可能な異なる操作系を持つ電子制御式カメラが複数あり、
他カメラが保存した動作に関する情報を画像記憶用メモリから読み込んで、読み込んだ情報を自カメラの設定情報にする変換装置を備え、変換した情報を設定することで他カメラと機能的に類似の動作をするようなことを特徴とするカメラシステム。
【請求項８】
カメラの動作に関する情報を交換レンズ内の記憶装置に保存出来、また交換レンズ内の記憶装置に保存されたカメラの動作に関する情報を読み込むことが出来、その交換レンズを着脱可能な異なる操作系を持つレンズ交換式の電子制御式カメラが複数あり、
他カメラが保存した動作に関する情報を交換レンズ内の記憶装置から読み込んで、読み込んだ情報を自カメラの設定情報にする変換装置を備え、変換した情報を設定することで他カメラと機能的に類似の動作をするようなことを特徴とするカメラシステム。
【請求項９】
カメラの動作に関する情報を記憶媒体に保存出来、また記憶媒体に保存されたカメラの動作に関する情報を読み込むことが出来、その記憶媒体を着脱可能な電子制御式カメラで、
そのカメラと操作系の異なるカメラが記憶媒体に保存したカメラの動作に関する情報を、記憶媒体から読み込み自カメラの設定情報にする変換装置を備え、変換した情報を自カメラの設定としてその操作系の異なるカメラと機能的に類似の動作をすることが出来ることを特徴とするカメラ。
【請求項１０】
カメラの動作に関する情報を画像記憶用メモリに保存出来、また画像記憶用メモリに保存されたカメラの動作に関する情報を読み込むことが出来、その画像記憶用メモリを着脱可能な電子制御式カメラで、
そのカメラと操作系の異なるカメラが画像記憶用メモリに保存したカメラの動作に関する情報を、画像記憶用メモリから読み込み自カメラの設定情報にする変換装置を備え、変換した情報を自カメラの設定としてその操作系の異なるカメラと機能的に類似の動作をすることが出来ることを特徴とするカメラ。
【請求項１１】
カメラの動作に関する情報を交換レンズ内の記憶装置に保存出来、また交換レンズ内の記憶装置に保存されたカメラの動作に関する情報を読み込むことが出来、その交換レンズを着脱可能なレンズ交換式電子制御式カメラで、
そのカメラと操作系の異なるカメラが交換レンズ内の記憶装置に保存したカメラの動作に関する情報を、画像記憶用メモリから読み込み自カメラの設定情報にする変換装置を備え、変換した情報を自カメラの設定としてその操作系の異なるカメラと機能的に類似の動作をすることが出来ることを特徴とするカメラ。
【請求項１２】
カメラの動作に関する情報を記憶媒体に保存出来、また記憶媒体に保存されたカメラの動作に関する情報を読み込むことが出来、その記憶媒体を着脱可能な電子制御式カメラで、
そのカメラと操作系の異なるカメラが記憶媒体に保存したカメラの動作に関する情報を記憶媒体から読み込み、自カメラの設定情報にする変換装置を備え、変換した情報によりその操作系の異なるカメラと機能的に類似の動作をするように設定を変更する設定変更装置を備え、
その設定変更装置を機能させるに先だってカメラの操作者に対して設定変更の可否を問い合わせる手段を持ち、設定変更が可であるとの回答を得た場合に設定変更装置による変更をカメラに反映させることを特徴とすることを特徴とするカメラ。
【請求項１３】
請求項１２記載にカメラにおいて、カメラの操作者に対して設定変更の可否を問い合わせる手段を機能させる前に、予めカメラの設定手段により、設定変更を許可するか否か登録しておく手段を持ち、設定変更の可否を問い合わせた結果の回答に代わって、登録しておいた設定変更の許可か否かの情報に基づき、設定変更装置を機能させる、または動作禁止とする機構を備えたことを特徴とするカメラ。
【発明の詳細な説明】
【技術分野】
【０００１】
本発明はレンズ交換可能なカメラ、ビデオカメラなどの光学機器のうち、共通の記憶媒体を装着可能で記憶媒体に設定組み合わせの読み書きを行うようなカメラの動作設定手段、カメラシステム、およびカメラに関するものである。
【背景技術】
【０００２】
近年カメラの制御の電子化が進み、カメラの設定変更操作で、カメラのある操作部材を操作した時の動作を、使用方法に応じて変更することができるものがある。設定変更のできる項目はカメラの機能毎に複数あり、それらを組み合わせて変更することで同じカメラでも操作方法や動作が異なるカメラにすることが可能である。また、それらの変更した設定の組み合わせをカメラ本体とは別の外部の記憶媒体に記憶しておき、同種類のカメラを複数利用する際に記憶媒体に記憶した設定組み合わせを一括してカメラに反映できるようになった。これにより、複数のカメラに対して同じ設定の組み合わせになるように、設定変更操作をくり返す手間を省くことができるようになった。
【特許文献１】特開平１１−８８８１７号公報
【発明の開示】
【発明が解決しようとする課題】
【０００３】
上記のように記憶媒体から設定組み合わせを読みこんで一括して設定を行う場合、複数のカメラが同一の設定変更が可能でないと、設定組み合わせ全体を正しく反映することができない。つまり、カメラの仕様が異なるカメラを複数使用する時には、個々のカメラに対して設定組み合わせをカメラの設定変更操作によりいちいち設定しなくてはならない煩わしさがある。これは、異なる仕様を持つカメラ間において、備えている機能の相異や仕様上の設定可能範囲が異なることから、設定組み合わせも異なってしまう、ということである。
【０００４】
本発明は、以上の点に着目して成されたもので、設定可能な項目が異なるカメラシステムが存在して、あるカメラシステムでユーザ固有の設定組み合わせを保存した記憶媒体を、別のカメラシステムに装着してユーザ固有の設定組み合わせを設定する場合に、設定項目が異なる部分についてカメラの動作上類似の設定を行うようにすることで、ユーザ設定にかかる手間を削減するカメラの動作設定手段、カメラシステム、およびカメラを提供することを目的とする。
【課題を解決するための手段】
【０００５】
本発明では以上のような課題を解決するため、設定項目が異なる複数のカメラに、設定組み合わせを読み出す手段と、読み出した設定組み合わせをカメラに設定できる項目に変換する手段と、変換したカメラ設定を実施する手段とを用意する。上記変換手段における変換規則は、カメラの設定変更の撮影／操作目的上意味するものを考慮して決められている。これにより複数のカメラ間で設定組み合わせが異なる場合でも撮影／操作の上でのカメラの動作が類似したものになる。また、カメラの設定を設定組み合わせに変換する手段と、設定組み合わせを記憶媒体に保存する手段とを備え、異なるカメラで保存した設定組み合わせを読みこんだ後、これを変更して保存した場合に、もともと設定組み合わせを保存したカメラで、変更が反映された設定組み合わせが読めるようにする。
【０００６】
なお、さらに詳細に説明すれば、本発明は下記の構成によって前記課題を解決できた。
【０００７】
（１）記憶媒体を着脱可能な電子制御式カメラで、カメラの動作に関する情報を記憶媒体に保存することが出来また記憶媒体に保存されたカメラの動作に関する情報を読み込むことが出来るような、操作系の異なるカメラ間において、
異なる操作系をもつ他カメラが保存した動作に関する情報を記憶媒体から読み込んで、読み込んだ情報を自カメラに設定できるように変換し、変換した情報に基づいて動作することを特徴とするカメラの動作設定手段。
【０００８】
（２）カメラの動作に関する情報を記憶媒体に保存出来、また記憶媒体に保存されたカメラの動作に関する情報を読み込むことが出来、その記憶媒体を着脱可能な異なる操作系を持つ電子制御式カメラが複数あり、
他カメラが保存した動作に関する情報を記憶媒体から読み込んで、読み込んだ情報を自カメラの設定情報にする変換装置を備え、変換した情報を設定することで他カメラと機能的に類似の動作をするようなことを特徴とするカメラシステム。
【０００９】
（３）カメラの動作に関する情報を記憶媒体に保存出来、また記憶媒体に保存されたカメラの動作に関する情報を読み込むことが出来、その記憶媒体を着脱可能な電子制御式カメラで、
そのカメラと操作系の異なるカメラが記憶媒体に保存したカメラの動作に関する情報を、記憶媒体から読み込み自カメラの設定情報にする変換装置を備え、変換した情報を自カメラの設定としてその操作系の異なるカメラと機能的に類似の動作をすることが出来ることを特徴とするカメラ。
【発明の効果】
【００１０】
本発明によれば、複数のカメラを混在させていて、ユーザが記憶媒体から自分の設定組み合わせを読みこませるときに、異なるカメラで保存した設定組み合わせを用いて機能上ほぼ同一の操作性にでき、各カメラの設定を合わせるのにかかる手間を削減することができた。
【発明を実施するための最良の形態】
【００１１】
以下に本発明の実施例を説明する。
【実施例】
【００１２】
［第一の実施例］
制御装置としてワンチップマイコンを内蔵したレンズ交換式カメラと、同じくワンチップマイコンを内蔵した交換レンズと、着脱可能なメモリカードからなるカメラシステムの例である。
【００１３】
図１と図２にレンズとメモリカードが共通でカメラの仕様が異なるカメラシステムを示す。
【００１４】
図１のＬＥＮＳはカメラに装着可能な交換レンズである。交換レンズは図のＭＯＵＮＴで示されるカメラのレンズマウント部に取り付けられ、不図示の通信回路を介して焦点調節や絞り駆動に関するカメラからの制御を受けて動作する。ＣＡＭＥＲＡ１はストロボを持たずメモリカードスロットを１つ備えたカメラである。メモリカード  ＭＣＡＲＤを着脱可能なようにカードスロット  ＳＬＯＴを備える。カメラの操作系は、露出モードを変更するためのＡＥＭ  ボタン、自動焦点調節モードを変更するためのＡＦＭ  ボタン、モータドライブの設定を変更するためのＤＲＶ  ボタンが軍艦部左にあり、軍艦部右にはレリーズボタンＳＷ１  ボタン、メイン電子ダイヤル  ＭＡＩＮＤ、表示装置  ＯＬＣ、ＡＦ測距点選択ＡＦＳＥＬボタン、ＡＥロック用のＡＥＬＫボタンがあるという構成である。また、カメラ本体ではなくレンズにレンズボタンＬＢＴＮが付いている。
【００１５】
図３は図１のカメラを背面から見た図である。ＳＵＢＤはサブ電子ダイヤルで、液晶表示部ＬＣＤに表示されるＧＵＩの操作を、セットボタンＳＥＴＢと合わせて行ったり、カメラの露出に関する値を変更したりするのに利用される。
【００１６】
図２のＬＥＮＳ、ＬＢＴＮ、ＭＯＵＮＴ、ＳＷ１、ＯＬＣ、ＡＦＳＥＬ、ＡＥＬＫは機能的に図１のものと同等である。ＣＡＭＥＲＡ２は内蔵ストロボＳＰＬＴを備え、メモリカードスロットを２つ備えたカメラである。メモリカードＭＣＡＲＤ１とＭＣＡＲＤ２を同時に装着可能なようにカードスロットも各々ＳＬＯＴ１、ＳＬＯＴ２を備える。またカメラの操作系は、露出モードなどを変更するための撮影モードダイヤルが軍艦部左にある。
【００１７】
図４は図２のカメラを背面から見た図である。図１のカメラと同様に液晶表示部ＬＣＤとサブ電子ダイヤルＳＵＢＤ、セットボタンＳＥＴＢを備えている。
以上２種類のカメラの共通点と相異点を挙げたのが図１３である。
【００１８】
共通点に対しては、異なるカメラではあるが上記で説明した操作系で同一の動作を実現できる。レンズマウントが共通であることは、交換レンズの互換性があることを示す。軍艦部右操作系が共通であることは、ＡＥＬＫボタンによるＡＥロック操作、ＡＦＳＥＬボタンによる測距点選択操作が同じように行えることを示す。カードスロットが共通であることは、使用可能なメモリカードの種類が同じであることを示す。
【００１９】
相異点は、操作系が異なっていたり機能が異なっていたりするもので、カメラ１とカメラ２では異なる動作となりえる。ただし、撮影条件によっては結果的に同じ動作をすることもある。
【００２０】
例として、カメラ２の撮影モードがスポーツ（Ｓｐｏｒｔｓ）であった場合について述べる。撮影モードのスポーツは運動会などで動く被写体を撮影するための設定を一通り行う。例えば、自動露出は出来る限り速いシャッタスピードになるよう絞りとシャッタスピードの組み合わせを決めるプログラム線図、ＡＦモードは動態予測（Ｓｅｒｖｏ）、ドライブモードは連写、という設定になる。組み合わせるレンズにもよるが、２００／２．８のレンズを付けているとしてこのときの自動露出の結果が１／１０００  Ｆ２．８となったとする。カメラ１で同様の撮影を行おうとする場合、撮影モードを絞り優先（Ａｖ）でＦ２．８を選択する。ＡＦモードは動態予測、ドライブモードは連写、と個別に設定しておく。そうすれば、絞り値がＦ２．８で自動露出の結果に応じてシャッタスピードが変化するから、カメラ２と同じ撮影条件では１／１０００  Ｆ２．８で撮影される。一方、カメラ２で別の被写体を撮ろうとして自動露出の結果が１／４０００  Ｆ４．０となるような場合もある。これはスポーツモードのプログラム線図で、出来る限り速いシャッタスピードを選択しようにも、カメラ２の最高秒時は１／４０００までとなっているので、１／４０００  Ｆ２．８で露出オーバーなら絞りを絞りこむしかないためである。このような撮影条件では、上記設定をしたカメラ１では１／８０００  Ｆ２．８で撮影を行うことになり互いに異なる動作の例となる。
【００２１】
以上の例は、カメラ２では、撮影目的を元に撮影モードを決めることでカメラの設定が変更され、写真の撮影時にカメラの設定から撮影条件が決まるが、カメラ１では、ある程度撮影結果を予測して先に露出やＡＦモードを設定し、撮影条件を決めてから写真を撮る、という操作系の違いを示している。カメラ１とカメラ２で互いに同じような条件で撮影ができないということはまれである。
【００２２】
そこで、カメラ１で設定したカメラの設定を個人設定としてＭＣＡＲＤに保存し、カメラ２のＳＬＯＴ１またはＳＬＯＴ２に差し込んで個人設定をカメラ２に適用する、という場合に、操作系の設定を適用するのではなく撮影条件の設定を適用するようにする。
【００２３】
図５はカメラ起動からカメラ動作に至るまでの流れを、ＭＣＡＲＤから個人設定を読み込んで設定を変える点に注目して簡略化したフロー図である。
【００２４】
１０１“カメラ起動”はハードウェア的な休止状態からの起動の始まりである。１０２“システム初期化”ではハードウェアの初期設定や電源立ち上げ、ＯＳの起動などを行う。１０３“ファイル初期化”ではＭＣＡＲＤを扱うためにファイルシステムの初期化を行う。これにより、スロットに刺してあるメモリカードの中のファイルが読み出せるようになる。１０４“個人設定ファイルあり？”で、メモリカードの中に個人設定に関するデータファイルの有無を確認している。個人設定ファイルがないのであればＮの方向に進んで１０６“カメラ動作”の処理に入り、カメラはデフォルトの初期設定で動作する。個人設定ファイルがあればＹの方向に進んで１０５“個人設定”の処理を実行する。この１０５“個人設定”の処理の詳細を次の図６で説明する。
【００２５】
図６は１０５“個人設定”の処理を詳しく書いたフロー図である。
【００２６】
この処理が呼び出されると２０１“個人設定”に制御の流れが移る。２０２“個人設定ファイル読込”で個人設定ファイルを読み込む。２０３“設定元カメラ情報取得”で個人設定ファイルの設定元のカメラに関する情報を読み出す。２０４“設定元カメラが同じ仕様のものか？”でこの処理を行っているカメラと設定元のカメラとが同じ仕様のどうかを確認する。同じ場合はＹに進む。異なる場合はＮであり２０５“設定値変換”に進む。２０５“設定値変換”は異なる仕様の個人設定ファイルの設定値をこのカメラの設定値に変換する処理で詳細は後述する。２０６“設定値適用”で２０３“設定元カメラ情報取得”のままかまたは２０５“設定値変換”で変換した設定値をカメラに設定する。その後２０７“もどる”で処理が終わり図５の１０５“個人設定”呼び出しの直後に戻る。
【００２７】
図１１と図１２を用いて２０５“設定値変換”で行う処理の詳細を説明する。
図１１はカメラ１の設定項目の一部である。
【００２８】
設定１は撮影画像をＲＡＷ圧縮するかＪＰＥＧ圧縮するかどうかの設定である。
【００２９】
設定２はＡＦ開始の操作をＳＷ１ボタンを押したときにするかＡＥＬＫボタンを押したときにするかの設定である。
【００３０】
設定３はカメラ１に外付けできるストロボの発光タイミングを先幕シンクロにするか後幕シンクロにするかの設定である。
【００３１】
設定４はＡＦ補助光の投光の有無の設定である。カメラ１に内蔵ストロボはないので、補助光が投光されるのは外部ストロボを装着した場合に限られるが、ストロボ装着していなくても設定だけは行えるようになっている。
【００３２】
設定５はレンズボタンＬＢＴＮが付いているレンズ装着時に、レンズボタンにどういう機能を割り当てるかの設定である。
【００３３】
設定６はレンズに関する設定をレンズ側の記憶装置で覚えておくかどうかの設定である。この設定については後述の第二の実施例で説明する。
【００３４】
図１２はカメラ２の設定項目の一部である。
【００３５】
設定１は撮影画像をＲＡＷ圧縮するかＪＰＥＧ圧縮するかどうかの設定である。機能はカメラ１の設定１と同様である。
【００３６】
設定２はＡＦ開始の操作をＳＷ１ボタンを押したときにするかＡＥＬＫボタンを押したときにするかの設定である。これも機能的にカメラ１と変わらない。
【００３７】
設定３は内蔵ストロボの発光タイミングを先幕シンクロにするか後幕シンクロにするかの設定である。カメラ１の場合は外付けストロボのシンクロ設定であったが、カメラ２はストロボが本体に備わっているので内蔵ストロボのシンクロ設定を行うようになっている。
【００３８】
設定４はＡＦ補助光の投光の有無の設定である。内蔵ストロボ、外付けストロボに関わらず補助光の有無を設定する。
【００３９】
設定５はカメラ２に複数あるスロットの使い方を切替える設定である。自動にしておくと、片方のメモリカードがいっぱいになったら自動的にもう一方のメモリカードを使ったり、撮影条件に応じて撮影画像の保存場所を複数のメモリカードに振り分けたりする機能が働く。手動にしておくとその機能が働かない。
【００４０】
設定６はレンズボタンＬＢＴＮが付いているレンズ装着時に、レンズボタンにどういう機能を割り当てるかの設定である。カメラ１の設定５と同じ役目である。
【００４１】
設定７はカメラ１の設定６と同様レンズに関する設定をレンズ側の記憶装置で覚えておくかどうかの設定である。
【００４２】
以上のような設定項目があった場合に、カメラ２で設定した個人設定ファイルが図１５のようになっているとする。
【００４３】
これを保存した個人設定ファイルには図１５のような情報が格納される。各項目の意味を以下に説明する。
【００４４】
「カメラタイプ」は個人設定ファイルを作成したカメラの種類を表している。この例では「カメラ２」となる。「持ち主」はカメラ使用者の識別子である。この例では持ち主の名前を書いてあるが、無味乾燥な番号などを用いても構わない。使用者の識別子というだけのことなのでカメラ本体の操作で自由に設定できてもよいが、カメラ購入時に外部のコンピュータ端末とカメラを接続して書き込むようにしてもよい。「カメラＩＤ」はカメラ固有の識別子である。工場出荷時のシリアル番号のように、重複することはない。
【００４５】
「設定１〜６」は図１２の設定１〜６の設定項目タイプと設定値が書かれている。設定項目タイプというのは、仕様の異なる複数のカメラ間にまたがる全ての設定項目に振った属性である。設定項目の持つ意味が「ＪＰＥＧ付ＲＡＷ」や「ＡＦ開始」の設定のようにカメラ１と２で全く同じであれば設定項目タイプも同じになる。「内蔵ストロボシンクロ設定」と「外部ストロボシンクロ設定」のように似ているものは設定項目タイプが違っても互いに同一視してもよい設定項目グループに含まれるタイプになっている。図１５ではグループを最初のアルファベットで示しているので、数字が違ってもアルファベットの部分が同じであれば互いに同一視してもよいグループということである。
【００４６】
次にこのファイルが保存されているメモリカードをカメラ１に装着してカメラを起動する。
【００４７】
すると前述の図６の２０４“設定元カメラが同じ仕様のものか？”で、個人設定ファイルのカメラタイプの項目に書かれた情報により「設定元のカメラが同じ仕様のものか？」という分岐がＮとなる。そして２０５“設定値変換”の処理が呼び出される。
【００４８】
図７は２０５“設定値変換”の処理の詳細を示すフロー図である。
【００４９】
図６から３０１“設定値変換”の処理が呼び出されると、まず３０２“持ち主一致チェック”が実行される。ここで「持ち主」の内容が一致するかどうかにより、３０３“設定不可能”の分岐先が変わる。本実施例の標準的なの動作として、ここではカメラ１の「持ち主」の内容がカメラ２で作られた図１５のものと一致しているとき、３０３“設定不可能”の分岐がＮに進むようになっている。つまり「持ち主」が一致しない場合は設定が不可能であると判定する。続いて３０４“カメラＩＤ一致チェック”が実行される。ここでカメラ１の「カメラＩＤ」の内容が「持ち主」と同じようにカメラ２で作られたものと一致した場合は次の分岐３０５“設定不可能”でＮに進み設定が可能と判定される。しかし、「カメラＩＤ」は一般に異なるカメラでは一致しないので、通常は３０４“カメラＩＤ一致チェック”の中で「カメラＩＤ」が異なっていても無視するような動作設定を可能にしておき、「カメラＩＤ」が異なるにも関わらず３０５“設定不可能”がＮに分岐するような仕組みを入れておく。同様な仕組みは３０２“持ち主一致チェック”にも組み込まれていて、３０３“設定不可能”の分岐を常にＮに進ませるような動作設定が可能に出来る。その詳細は図８の説明において述べる。３０６“同じタイプの設定項目を設定”ではカメラ１の設定にファイル２にある同タイプの設定項目を設定する。ここでは自分が設定できる設定項目タイプが格納されている記憶部より「設定できる設定項目タイプ」を参照する。全ての同タイプの設定項目が設定できたら、３０７“もどる”より呼び出し元に戻る。
【００５０】
図８は、３０２“持ち主一致チェック”の詳細を示すフロー図である。このサブルーチンは、「持ち主」の内容一致を見るか、「カメラＩＤ」の内容一致を見るかという違いだけで、処理の流れは３０４“カメラＩＤ一致チェック”と同じである。
【００５１】
４０２“カメラ１の持ち主データ取得”と４０３“ファイル２の持ち主データ取得”で得た内容を４０４“持ち主データの比較”で比較し、一致すれば４０５“持ち主一致？”にてＹに分岐する。不一致であればＮに分岐して４０６“不一致でも設定する？”にてさらに不一致でも設定するかどうかの分岐を行う。設定する場合はＹに進み、４０７“設定反映するか質問”でＧＵＩなどの表示を用いて操作者に質問をし、入力を促す。
【００５２】
図１７に質問を行う際のＧＵＩの表示例を示す。ＳＵＢＤを回転させるとＡＮＳ１とＡＮＳ２とのどちらかを選択することが出来る。現在選択されている方のボタンは白い縁取りが付いている方で、図ではＡＮＳ１である。操作者は質問の文章Ｑを読んでＡＮＳ１またはＡＮＳ２のどちらかを選択し、ＳＥＴＢを押して回答を決定する。ＡＮＳ１を選択してＳＥＴＢを押せば“ＯＫ”ということになり、以下で設定を行う判定となる。ＡＮＳ２を選択してＳＥＴＢを押せば“ＣＡＮＣＥＬ”となり、以下で設定しないことになる。
【００５３】
上記、質問に対する入力結果を４０８“回答は設定？”で判定後、設定する場合は４０９“一致したことにする”を経由して４１４“もどる”より呼び出し元に戻る。設定しないのであれば４１０“不一致とする”を経由して４１４“もどる”より呼び出し元に戻る。
【００５４】
また、４０５“持ち主一致？”にてＹに分岐した場合、４１１“持ち主一致なら即設定？”の判定を行い、Ｎであれば４１２“設定反映するか質問”にて４０７“設定反映するか質問”同様に操作者からの入力を受ける。４１３“回答は設定？”での分岐がＹなら４０９“一致したことにする”を経由して４１４“もどる”より呼び出し元に戻る。Ｎなら４１０“不一致とする”を経由して４１４“もどる”より呼び出し元に戻る。
【００５５】
次に３０６“同じタイプの設定項目を設定”の処理の説明をする。図１４は３０６“同じタイプの設定項目を設定”の処理前のカメラ１の個人設定の内容である。図１５の内容と比較すると、カメラ２の設定３に対して、カメラ１の設定３はストロボ発光のシンクロ設定ではあるが、外部ストロボの設定なので、設定項目グループとしては一緒の“Ｃ”で、番号がカメラ２は“０１”なのにたいし“０２”となっている。
【００５６】
さて、ファイル２の設定を１から順に処理する。
【００５７】
設定１はＡ０１という設定項目タイプである。カメラ１の個人設定にもＡ０１がある。カメラ１の個人設定は設定１が０であるが、ファイル２の設定を反映すると同じ１に設定される。
【００５８】
設定２もＢ０１という設定項目タイプがカメラ１にあるのでファイル２からカメラ１に設定が反映される。
【００５９】
設定３についてはファイル２がＣ０１であるのに対し、カメラ１はＣ０２となっている。設定項目タイプの“Ｃ”が同じなので設定項目グループが一緒だから、ここで設定３の内容も反映される。カメラの機能として、ストロボが内蔵であるか否かに関わらずシンクロタイミングが後幕か先幕かという設定は共通に設定して差し支えないので、カメラ１と２で設定３に関して同じ設定項目グループになるよう設定項目タイプを選んでいるのである。
【００６０】
設定４については設定２と同様。
【００６１】
設定５については設定項目タイプとしてカメラ１に同じものがない。この場合はカメラ１の設定は何も変わらない。
【００６２】
設定６は設定項目タイプＦ０１で、カメラ１では同じ設定を行う設定項目タイプＦ０１が設定５になっている。よってカメラ１では設定５が１に変更されることになる。
【００６３】
設定７は設定項目タイプＧ０１で同じであるが設定も同じ０なので変化はない。
【００６４】
以上の処理の結果、カメラ１の個人設定は図１４の状態から図１６のように変更される。これにより異なるカメラ同士で共通にできる設定を揃えることが出来る。
【００６５】
［第二の実施例］
第一の実施例のうち、カメラ１の設定５（カメラ２の設定６）に関する設定がレンズに記憶される例を以下に示す。
【００６６】
図３のカメラでは、ＬＣＤに表示されたＧＵＩをＳＵＢＤとＳＥＴＢを利用して操作し、第一の実施例で示したようなさまざまな設定が可能になっている。ここではカメラ２の設定６と設定７（カメラ１では設定５と設定６）に注目する。
【００６７】
図９は、カメラ２でＬＣＤに表示されたＧＵＩをＳＵＢＤとＳＥＴＢで操作して設定６を変更したときに呼び出される「レンズボタン設定」のフロー図である。
【００６８】
レンズボタンの機能の設定が変更されると５０１“レンズボタン設定”からの処理が呼び出される。５０２“レンズ機能番号を記憶”でレンズ機能番号を「設定値記憶部」に記憶する。次に５０３“「レンズに設定を記憶」の設定を読み出す”で読み出した設定から５０４“設定をレンズに覚える？”の分岐を処理する。レンズに設定値を覚える場合はＹに進む。そうでない場合はＮに進み５０８“もどる”に至る。５０５“レンズ通信”で現在装着しているレンズの機能に関する情報を得て、５０６“レンズボタンの機能を覚えられるか？”の分岐処理にてＹなら５０７“レンズに設定を送る”に進みレンズに設定値を覚えさせるような命令を通信する。Ｎならこの処理をスキップして５０８“もどる”に進む。
【００６９】
次に、レンズボタンの機能の設定を覚えているレンズを別のカメラに装着した場合の処理について説明する。
【００７０】
レンズのレンズボタンが押されると６０１“レンズボタン機能”から処理が始まる。６０２“レンズのレンズボタン機能の設定を読む”で読んだ設定がレンズボタンの機能を指示する値が設定してあるなら６０３“設定されている？”でＹに分岐する。この場合６０４“レンズの設定による機能”が実行され、カメラの設定は無視される。レンズのレンズボタンの機能が「設定無し」である場合は６０３“設定されている？”でＮに分岐する。このときは６０５“カメラの設定による機能”が実行され「設定値記憶部」にあるカメラ設定にあるカメラ設定にしたがった機能が働く。最後は６０６“もどる”から呼び出し元の処理に戻る。
【００７１】
以上で、あるカメラで設定したレンズボタン機能の設定をレンズに覚えさせることでこのレンズのレンズボタンの機能を統一でき、別のカメラに付け替える度にカメラの設定を変える手間を省くことが出来る。
【図面の簡単な説明】
【００７２】
【図１】レンズ交換式カメラ１の上面と横面からの概観図
【図２】レンズ交換式カメラ２の上面と横面からの概観図
【図３】レンズ交換式カメラ１の背蓋側から見た概観図
【図４】レンズ交換式カメラ２の背蓋側から見た概観図
【図５】カメラ起動からカメラ動作に至るまでのフロー図
【図６】個人設定ファイルによる設定処理のフロー図
【図７】設定値変換のフロー図
【図８】持ち主一致チェックのフロー図
【図９】レンズボタン設定のフロー図
【図１０】レンズボタン機能のフロー図
【図１１】カメラ１の設定項目の表
【図１２】カメラ２の設定項目の表
【図１３】カメラ１と２の共通点と相異点の表
【図１４】カメラ１の個人設定の内容を示す図
【図１５】カメラ２の個人設定ファイルの内容を示す図
【図１６】カメラ２の設定反映をした後のカメラ１の個人設定の内容を示す図
【図１７】設定反映をするかどうか問うＧＵＩの図
【符号の説明】
【００７３】
ＬＥＮＳ  交換レンズ
ＭＯＵＮＴ  レンズマウント部
ＣＡＭＥＲＡ１  カメラ
ＭＣＡＲＤ  メモリカード
ＳＬＯＴ  カードスロット
ＡＥＭ  ボタン
ＡＦＭ  ボタン
ＤＲＶ  ボタンが軍艦部左
ＭＡＩＮＤ  メイン電子ダイヤル
ＯＬＣ  表示装置
ＬＢＴＮ  レンズボタン
【図１】
2006174249.tif 000003
【図２】
2006174249.tif 000004
【図３】
2006174249.tif 000005
【図４】
2006174249.tif 000006
【図５】
2006174249.tif 000007
【図６】
2006174249.tif 000008
【図７】
2006174249.tif 000009
【図８】
2006174249.tif 000010
【図９】
2006174249.tif 000011
【図１０】
2006174249.tif 000012
【図１１】
2006174249.tif 000013
【図１２】
2006174249.tif 000014
【図１３】
2006174249.tif 000015
【図１４】
2006174249.tif 000016
【図１５】
2006174249.tif 000017
【図１６】
2006174249.tif 000018
【図１７】
2006174249.tif 000019